(57)【特許請求の範囲】
【請求項１】
表面側の透水層と裏面側の不透水層とからなる透水性舗装を施された路面に設置される排水側溝であって、
該排水側溝は、厚肉コンクリート製の本体部の断面中央部に長手方向に延びる排水孔が形成された暗渠形であり、
前記本体部における前記排水孔の上方の蓋部には、路面の透水層上面の表面雨水を導入する表面長溝と、該表面長溝から前記排水孔に通ずる表面縦孔と、路面の不透水層に浸み込んだ内部雨水を導入する内部長溝と、該内部長溝から前記排水孔に通ずる内部縦孔とが形成されており、
該内部縦孔の内部長溝に対する接続部分には、前記蓋部の表面から浅皿状に陥凹したフィルター置台が形成され、かつ該フィルター置台から更に浅皿状に陥凹した前記導水凹部が形成されており、
前記フィルター置台には、前記導水凹部を覆うフィルターが設置されている
ことを特徴とする排水側溝。
【請求項２】
前記導水凹部は、前記内部長溝に接続される長手凹部と、前記透水性舗装の中央に向けた短手凹部とからなる
ことを特徴とする請求項１記載の排水側溝。
【請求項３】
前記蓋部の舗装側端部において、前記不透水層の端部が突き合わされる端面に、側面視で斜めに切断した形状の傾斜面が形成されている
ことを特徴とする請求項１または２記載の排水側溝。
【発明の詳細な説明】
【技術分野】
【０００１】
本発明は、排水側溝に関する。さらに詳しくは、透水性舗装を施された路面、たとえば道路や公園、その他の施設に敷設された路面の側部に設置され、路面の表面を流れる表面雨水や内部に滲み込んだ内部雨水を排水するのに用いられる排水側溝に関する。
【背景技術】
【０００２】
透水性舗装路面に設置される排水側溝の従来技術として特許文献１の技術がある。この従来技術は、排水溝本体の道路に面する一側に、前記道路の表面に舗装される透水性舗装部の端部が敷設可能な受容段部を透水性舗装部の厚さに略相当して凹設し、この受容段部の上面には透水性舗装部の端面に沿って集水可能に排水溝本体の長手方向の略全域にわたるスリットを設けるとともに、このスリットに到る道路側からの前段位置に透水性舗装部内に滲み込む雨水等の集水孔をメッシュまたは透水空隙ないし透水孔を有する栓体を介して設けたものである。
【０００３】
しかるに、特許文献１の従来技術では、メッシュが集水孔の上面に存在することから、メッシュによって雨水の流れが阻害され、舗装部分の水の排水性が低下するという欠点がある。このため、大雨時には路面上に水がたまり、透水路面の機能を充分に果すことができないという問題があった。
【先行技術文献】
【特許文献】
【０００４】
【特許文献１】特許２８４９３４７号公報
【発明の概要】
【発明が解決しようとする課題】
【０００５】
本発明は上記事情に鑑み、路面の透水性を低下させることがない排水側溝を提供することを目的とする。
【課題を解決するための手段】
【０００６】
表面側の透水層と裏面側の不透水層とからなる透水性舗装を施された路面に設置される排水側溝であって、該排水側溝は、厚肉コンクリート製の本体部の断面中央部に長手方向に延びる排水孔が形成された暗渠形であり、前記本体部における前記排水孔の上方の蓋部には、路面の透水層上面の表面雨水を導入する表面長溝と、該表面長溝から前記排水孔に通ずる表面縦孔と、路面の不透水層に浸み込んだ内部雨水を導入する内部長溝と、該内部長溝から前記排水孔に通ずる内部縦孔とが形成されており、該内部縦孔の内部長溝に対する接続部分には、前記蓋部の表面から浅皿状に陥凹したフィルター置台が形成され、かつ該フィルター置台から更に浅皿状に陥凹した前記導水凹部が形成されており、前記フィルター置台には、前記導水凹部を覆うフィルターが設置されていることを特徴とする。
第２発明の排水側溝は、第１発明において、前記導水凹部は、前記内部長溝に接続される長手凹部と、前記透水性舗装の中央に向けた短手凹部とからなることを特徴とする。
第３発明の排水側溝は、第１または第２発明において、前記蓋部の舗装側端部において、前記不透水層の端部が突き合わされる端面に、側面視で斜めに切断した形状の傾斜面が形成されていることを特徴とする。
【発明の効果】
【０００７】
第１発明によれば、つぎの効果を奏する。
ａ）フィルターにより雨水中のゴミ等が内部縦孔への進入を防止できるものでありながら、フィルターの下面に導水凹部を形成したことによる空間があいているので、雨水の通路空間が確保され、雨水の内部縦孔への導入が確実に行われる。このため、大雨であっても透水性舗装を施した路面上に水がたまることがない。
ｂ）フィルターをフィルター置台に置いた状態でも、フィルターと導水凹部との間には浅皿状の隙間が生ずるので、フィルターによるゴミ等の進入阻止も内部雨水の導水機能も損なわれることはない。
第２発明によれば、導水凹部は、長手凹部によって内部長溝に入った内部雨水を導入でき、短手凹部によって透水層から流れてくる内部雨水を導入できるので、内部雨水を効率よく内部縦孔に導くことができる。
第３発明によれば、斜めに傾斜した傾斜面に透水性舗装の不透水層の端面が突き合わされており、その傾斜面が舗装路面に作用する荷重を負担することができるので、透水性舗装の沈下を防止することができる。
【図面の簡単な説明】
【０００８】
【図１】本発明の一実施形態に係る排水側溝の斜視図である。
【図２】図１の排水側溝の使用状態における断面図である。
【図３】図１の排水側溝の平面図である。
【図４】（Ａ）は導水凹部まわりの平面図、（Ｂ）は導水凹部まわりの断面図である。
【図５】フィルターの平面図である。
【図６】導水凹部による導水作用の説明図である。
【発明を実施するための形態】
【０００９】
つぎに、本発明の実施形態を図面に基づき説明する。
図１および図２に示す本実施形態の排水側溝Ａは、透水性舗装を施された路面、たとえば道路や公園、その他の施設に敷設された路面の側部に設置され、路面の表面を流れる表面雨水や内部に滲み込んだ内部雨水を排水するのに用いられる側溝である。
排水側溝Ａの基本構造はコンクリート製の暗渠形であり、断面視でみると四周を囲った厚肉コンクリートからなる本体部１と、その中央に大径の排水孔２が形成された形状となっている。前記本体部１は排水孔２の底壁１Ｃと左右の側壁１Ｂと上方部分の蓋部１Ａとからなり、この蓋部１Ａに側溝としての機能部品が形成されている。
【００１０】
図２において、排水側溝Ａの端縁（図２の左側）は縁石Ｂに接する部分で、端縁（図２の右側）は透水性舗装Ｐに接する部分である。透水性舗装Ｐは、表面側の開粒度のアスファルトを用いた透水層Ｐ１と裏面側の密粒度のアスファルトを用いた不透水層Ｐ２からなる透水性を有する公知の構造の舗装である。
また、この舗装Ｐは道幅中央から幅員端に至る方向に下傾する勾配θが付けられている。この勾配θは一般的に用いられる２％であるが、これ以上であっても以下であってもよい。
【００１１】
蓋部１Ａの一端部（図中左側）は、一段高い高段部３が側溝の長手方向に沿って形成されており、蓋部１Ａにおける高段部３の側方（図中右側）は低段部４が長手方向に沿って形成されている。高段部３の幅は本体部１の幅の略１／４〜１／３位であり、低段部４の幅は本体部１の幅の３／４〜２／３位であるが、これらの比率に限られるものではない。
【００１２】
また、低段部４の舗装側端部（図中右端）には、角部を斜めに切断した形状の傾斜面５が形成されている。この傾斜面５の水平線に対する角度は３０°〜６０°の範囲が好ましく、４５°が最も好ましい。ただし、この角度範囲に限定されることはない。この低段部４には、透水性舗装Ｐの表面側の透水層Ｐ１が同じ厚さで積層される。また、低段部４には舗装Ｐと同じ傾斜勾配θが付けられているので、透水層Ｐ１を同じ厚さで積層すると、舗装Ｐの勾配は道路部分に側溝部分を加えた全幅において同一勾配をもたせることができる。傾斜面５には、舗装Ｐの裏面側の不透水層Ｐ２の端縁が突合せ状態で接するよう施工される。このため、舗装路面に作用する荷重（舗装の重量や走行車両の重量）が傾斜面５で下から支えられて、透水性舗装Ｐの沈下が防止される。
【００１３】
つぎに、蓋部１Ａに形成した機能部品を説明する。
図１および図２に示すように、高段部３には細長い表面長溝６が排水側溝の長手方向に沿って形成されている。この表面長溝６の適所（本実施形態では図３に示す４ヵ所）には、表面長溝６と排水孔２を連通させる表面縦孔７が形成されている。低段部４には細長い内部長溝８が排水側溝の長手方向に沿って形成されている。この内部長溝８の適所（本実施形態では４ヵ所）には、内部長溝８と排水孔２を連通させる内部縦孔９が形成されている。そして、内部長溝８と内部縦孔９の接続部には、本発明の特徴部分である導水凹部１０が形成されている。
【００１４】
導水凹部１０の詳細を図３および図４に基づき説明する。
導水凹部１０は内部縦孔９との接続部分から排水側溝の長手方向に延びる長手凹部１１と短手方向に延びる短手凹部１２からなる。長手凹部１１は内部縦孔９の上端から互いに反対向きに延び、内部長溝８に接続される２本の凹部からなる。短手凹部１２は内部縦孔９の上端近傍から透水性舗装Ｐの中央に向けて平行になって延びる２本の凹部からなる。また短手凹部１２の基部は長手凹部１１の側部に接続されている。この導水凹部１０浅皿状に陥凹させたもので、図示の実施形態では５ｍｍであるが、それより浅くても深くてもよい。
【００１５】
導水凹部１０のまわりには、浅皿状のフィルター置台１５が形成されている。フィルター置台１５は後述するフィルター２０に合わせて、形状と深さを決めればよく、図示の実施形態では平面視四角形であるが、円形その他の形状であってもよい。深さは、図示の実施形態では３ｍｍであるが、それより浅くても深くてもよい。なお、フィルター置台１５の底面は平坦であってもよく、溝等を形成し雨水を導くようにしたものであってもよい。
本明細書において「浅皿状」とは、深さが浅いという意味で用いており、平面視の形状が四角形や円形に限定する意味ではない。
【００１６】
フィルター置台１５と導水凹部１０は、低段部４に形成されるが、低段部４の表面から浅皿状に陥凹させてフィルター置台１５を形成し、さらにフィルター置台１５の底面から浅皿状に陥凹させて導水凹部１０を形成している。したがって、導水凹部１０の底面はフィルター置台１５の底面より低い位置にあり、この間の間隔ｄが内部雨水の通り道となるものである。
【００１７】
図５は、フィルター２０を示している。本実施形態において、フィルター２０は合成樹脂製（たとえばナイロン６６）の板材２１であり、多数の孔２２が形成された多孔板である。形状は、平面視で四角形であり、厚さは２.５ｍｍであるが、これに限られない。
本実施形態においては、広い支持面積をもつフィルター置台１５によりフィルター２０を支持するので高い強度をもたせる必要がなく、耐腐食性の高い合成樹脂製を用いることができる。
【００１８】
つぎに、図６に基づき、本実施形態の排水側溝による雨水の排水作用を説明する。
路面上に降った雨の一部は、透水層Ｐ１の内部に浸み込んで不透水層２Ｐとの境界付近で勾配にそって排水側溝の方に流れてくる。これらの内部雨水の一部はフィルター２０の孔２２を通して導水凹部１０に入り内部縦孔９に集水される。また、内部雨水の残りは内部長溝８に入り（図３および図４参照）、この内部長溝８から内部縦孔９に集水される。  なお、透水層Ｐ１の表面を勾配に沿って流れた表面雨水は、表面長溝６に集められ、更に表面縦孔７から排水孔２に流される。
【００１９】
以上のように、本実施形態によれば、内部雨水の集水についてはフィルター２０をフィルター置台１５に置いた状態でも、フィルター２０と導水凹部１０との間には浅皿状の隙間が生ずるので、フィルター２０によるゴミ等の進入阻止も内部雨水の導水機能も損なわれることはない。
【００２０】
また、フィルター２０により雨水中のゴミ等が内部雨水用縦孔への進入を防止できるものでありながら、フィルター２０の下面に導水凹部１０を形成したことによる空間があいているので、雨水の通路空間が確保され、雨水の内部雨水用縦孔への導入が確実に行われる。このため、大雨であっても透水性舗装を施した路面上に水がたまることがない。
さらに、導水凹部１０は、長手凹部１１によって内部長溝８に入った内部雨水を導入でき、短手凹部１２によって透水層Ｐ１から流れてくる内部雨水を導入できるので、内部雨水を効率よく内部縦孔に導くことができる。
【００２１】
（その他の実施形態）
上記実施形態では導水凹部１０は、長手凹部１１と短手凹部１２を組合わせたものであったが、これに限ることはない。たとえば、短手凹部１２は幅広のものが１ヵ所でもよく、長手凹部１１と短手凹部１２を組合わせた形状では、図示のもの以外でもよい。要は、内部雨水を導入できる隙間が生じればよいのである。
【符号の説明】
【００２２】
１  本体部
３  高段部
４  低段部
５  傾斜面
６  表面長溝
７  表面縦孔
８  内部長溝
９  内部縦孔
１０  導水凹部
１１  長手凹部
１２  短手凹部
１５  フィルター置台
２０  フィルター
【図１】
0005845132.tif 000002
【図２】
0005845132.tif 000003
【図３】
0005845132.tif 000004
【図４】
0005845132.tif 000005
【図５】
0005845132.tif 000006
【図６】
0005845132.tif 000007